(57)【特許請求の範囲】
【請求項１】
被写体輝度を検出して適正露出値を設定する露出値設定手段と、
絞制御手段とシャッター制御手段とＩＳＯ感度変更手段を有し、撮影光学系により形成される被写体像を上記適正露出値で撮影する撮影手段と、
上記撮影手段が撮影した画像を記録する記録手段と、
上記撮影手段が撮影した被写体像を表示する表示手段と、
上記撮影手段が撮影するときの絞値をマニュアル設定するマニュアル絞値設定手段と、
フリッカー周波数を設定するフリッカー周波数設定手段と、を有し、
上記撮影手段が撮影した被写体像を上記記録手段に記録せずに上記表示手段に表示するライブビュー撮影と、上記撮影手段が撮影した画像を上記記録手段に記録する本撮影とが可能な撮影装置であって、
上記本撮影時の絞値がマニュアル絞値設定手段によりマニュアル設定されているときは、該マニュアル設定絞値によって適正露出値が得られるように、上記シャッター制御手段による露光時間を上記フリッカー周波数設定手段によって設定されたフリッカー周波数の逆数の整数倍に設定してライブビュー撮影するライブビュー制御手段を備え、
上記ライブビュー制御手段は、上記露光時間をフリッカー周波数の逆数の整数倍に設定したときに適正露出値が得られないときには、適正露出値が得られるように上記ＩＳＯ感度変更手段によりＩＳＯ感度を変更し、ＩＳＯ感度を変更しても適正露出値が得られないときは、上記マニュアル設定された絞値を変更すること、
を特徴とするライブビュー機能を有する撮影装置。
【請求項２】
請求項１記載のライブビュー機能を有する撮影装置は、本撮影時のシャッター速度及びＩＳＯ感度をマニュアル設定する手段をさらに備え、
上記ライブビュー制御手段は、上記マニュアル設定されたシャッター速度に対応する露光時間を（Ｄ）、上記フリッカー周波数設定手段によって設定されたフリッカー周波数の逆数の整数倍の露光時間を（Ｆ）としたとき、
（Ｄ）＜（Ｆ）の場合は、上記マニュアル設定されたＩＳＯ感度を（Ｃ）、上記撮影手段の最小感度を（Ｇ）として、感度比（Ｈ）、露光時間比（Ｉ）を式、（Ｈ）＝（Ｃ）／（Ｇ）、（Ｉ）＝（Ｆ）／（Ｄ）により求め、
（Ｈ）＞（Ｉ）の場合は、ライブビュー撮影の絞りをマニュアル設定された絞り（Ａ）に設定し、ライブビュー撮影のＩＳＯ感度（Ｊ）を式、（Ｊ）＝（Ｃ）／（Ｉ）により設定するライブビュー機能を有する撮影装置。
【請求項３】
請求項２記載のライブビュー機能を有する撮影装置において、上記ライブビュー制御手段は、
（Ｄ）＜（Ｆ）でない場合は、上記撮影手段の最大感度を（Ｋ）として、感度比（Ｌ）、露光時間比（Ｍ）を式、（Ｌ）＝（Ｋ）／（Ｃ）、（Ｍ）＝（Ｄ）／（Ｆ）により求め、
（Ｌ）＞（Ｍ）の場合は、ライブビュー撮影の絞りをマニュアル設定された絞り（Ａ）に設定し、ライブビュー撮影のＩＳＯ感度（Ｎ）を式、（Ｎ）＝（Ｃ）／（Ｍ）により設定するライブビュー機能を有する撮影装置。
【請求項４】
請求項３記載のライブビュー機能を有する撮影装置において、上記ライブビュー制御手段は、
（Ｌ）＞（Ｍ）でない場合は、露出比（Ｓ）を式、（Ｓ）＝（Ｍ）／（Ｌ）により求め、光量が（Ｓ）倍以上になるようにライブビュー撮影の絞り（Ｔ）を設定し、光量比（Ｕ）を式、（Ｕ）＝｛（Ｔ）の光量｝／｛（Ａ）の光量｝により求め、
ライブビュー撮影のＩＳＯ感度（Ｖ）を式、（Ｖ）＝（Ｃ）×（Ｍ）／（Ｕ）により設定するライブビュー機能を有する撮影装置。
【請求項５】
請求項２記載のライブビュー機能を有する撮影装置において、上記ライブビュー制御手段は、
（Ｈ）＞（Ｉ）でない場合は、露光時間比を（Ｏ）として（Ｏ）＝（Ｉ）／（Ｈ）を求め、受光光量が１／（Ｏ）倍以下になるようにライブビュー撮影の絞り（Ｐ）を設定し、光量比（Ｑ）を式、（Ｑ）＝｛（Ａ）の光量｝／｛（Ｐ）の光量｝により求め、ライブビュー撮影のＩＳＯ感度（Ｒ）を式、（Ｒ）＝（Ｃ）×（Ｑ）／（Ｉ）により設定するライブビュー機能を有する撮影装置。
【発明の詳細な説明】
【技術分野】
【０００１】
本発明は、ライブビュー機能を有する撮影装置に関する。
【背景技術】
【０００２】
従来、ライブビュー機能を有する撮影装置、例えばデジタルカメラにおいて、ライブビュー撮影するとき、撮像素子の露光時間を外光（環境光、蛍光灯照明）のフリッカー周期の整数倍にすることでフリッカーの影響を低減するものが知られている（特許文献１）。
【先行技術文献】
【特許文献】
【０００３】
【特許文献１】特開平０１−０３４０７０号公報
【発明の概要】
【発明が解決しようとする課題】
【０００４】
しかし、特許文献１のデジタルカメラは、ライブビュー撮影する場合、撮像素子の積分時間（露光時間）をフリッカー周波数の逆数（フリッカー周期）の整数倍にし、絞りを自動制御している。このため、ユーザーが本撮影（記録撮影、静止画撮影）の絞りをマニュアル設定しても、そのマニュアル設定絞値ではライブビュー撮影することができなかった。つまりユーザーがマニュアル設定した絞値により撮影したライブビュー画像の表示ができないので、静止画撮影時の被写界深度をライブビュー画像でシミュレート（確認）できないという問題があった。
【０００５】
本発明は、以上の問題意識に基づいてなされたものでありライブビュー撮影において、フリッカーの影響を受けず、かつユーザーがマニュアル設定した絞値による被写界深度のシミュレートが可能なライブビュー機能を有する撮影装置を得ることを目的とする。
【課題を解決するための手段】
【０００６】
本発明は、被写体輝度を検出して適正露出値を設定する露出値設定手段と、絞制御手段とシャッター制御手段とＩＳＯ感度変更手段を有し、撮影光学系により形成される被写体像を上記適正露出値で撮影する撮影手段と、上記撮影手段が撮影した画像を記録する記録手段と、上記撮影手段が撮影した被写体像を表示する表示手段と、上記撮影手段が撮影するときの絞値をマニュアル設定するマニュアル絞値設定手段と、フリッカー周波数を設定するフリッカー周波数設定手段と、を有し、上記撮影手段が撮影した被写体像を上記記録手段に記録せずに上記表示手段に表示するライブビュー撮影と、上記撮影手段が撮影した画像を上記記録手段に記録する本撮影とが可能な撮影装置であって、上記本撮影時の絞値がマニュアル絞値設定手段によりマニュアル設定されているときは、該マニュアル設定絞値によって適正露出値が得られるように、上記シャッター制御手段による露光時間を上記フリッカー周波数設定手段によって設定されたフリッカー周波数の逆数の整数倍に設定してライブビュー撮影するライブビュー制御手段を備え、上記ライブビュー制御手段は、上記露光時間をフリッカー周波数の逆数の整数倍に設定したときに適正露出値が得られないときには、適正露出値が得られるように上記ＩＳＯ感度変更手段によりＩＳＯ感度を変更し、ＩＳＯ感度を変更しても適正露出値が得られないときは、上記マニュアル設定された絞値を変更すること、を特徴とする。
【０００７】
本発明のライブビュー機能を有する撮影装置は、本撮影時のシャッター速度及びＩＳＯ感度をマニュアル設定する手段をさらに備え、上記ライブビュー制御手段は、上記マニュアル設定されたシャッター速度に対応する露光時間を（Ｄ）、上記フリッカー周波数設定手段によって設定されたフリッカー周波数の逆数の整数倍の露光時間を（Ｆ）としたとき、（Ｄ）＜（Ｆ）の場合は、上記マニュアル設定されたＩＳＯ感度を（Ｃ）、上記撮影手段の最小感度を（Ｇ）として、感度比（Ｈ）、露光時間比（Ｉ）を式、（Ｈ）＝（Ｃ）／（Ｇ）、（Ｉ）＝（Ｆ）／（Ｄ）により求め、（Ｈ）＞（Ｉ）の場合は、ライブビュー撮影の絞りをマニュアル設定された絞り（Ａ）に設定し、ライブビュー撮影のＩＳＯ感度（Ｊ）を式、（Ｊ）＝（Ｃ）／（Ｉ）により設定することができる。
【０００８】
上記ライブビュー制御手段は、（Ｄ）＜（Ｆ）でない場合は、上記撮影手段の最大感度を（Ｋ）として、感度比（Ｌ）、露光時間比（Ｍ）を式、（Ｌ）＝（Ｋ）／（Ｃ）、（Ｍ）＝（Ｄ）／（Ｆ）により求め、（Ｌ）＞（Ｍ）の場合は、ライブビュー撮影の絞りをマニュアル設定された絞り（Ａ）に設定し、ライブビュー撮影のＩＳＯ感度（Ｎ）を式、（Ｎ）＝（Ｃ）／（Ｍ）により設定することができる。
【０００９】
上記ライブビュー制御手段は、（Ｌ）＞（Ｍ）でない場合は、露出比（Ｓ）を式、（Ｓ）＝（Ｍ）／（Ｌ）により求め、光量が（Ｓ）倍以上になるようにライブビュー撮影の絞り（Ｔ）を設定し、光量比（Ｕ）を式、（Ｕ）＝｛（Ｔ）の光量｝／｛（Ａ）の光量｝により求め、ライブビュー撮影のＩＳＯ感度（Ｖ）を式、（Ｖ）＝（Ｃ）×（Ｍ）／（Ｕ）により設定することができる。
上記ライブビュー制御手段は、（Ｈ）＞（Ｉ）でない場合は、露光時間比を（Ｏ）として（Ｏ）＝（Ｉ）／（Ｈ）を求め、受光光量が１／（Ｏ）倍以下になるようにライブビュー撮影の絞り（Ｐ）を設定し、光量比（Ｑ）を式、（Ｑ）＝｛（Ａ）の光量｝／｛（Ｐ）の光量｝により求め、ライブビュー撮影のＩＳＯ感度（Ｒ）を式、（Ｒ）＝（Ｃ）×（Ｑ）／（Ｉ）により設定することができる。
【発明の効果】
【００１０】
本発明のライブビュー可能な撮影装置によれば、静止画撮影用の露出設定がマニュアルのときに、ライブビュー画像にフリッカーを表示させずに、ユーザーが指定した絞値での被写界深度をライブビュー画像でシミュレートすることができる。
【図面の簡単な説明】
【００１１】
【図１】本実施形態のデジタルカメラ（撮影装置）の要部構成の断面図である。
【図２】同カメラの背面図である。
【図３】同カメラの制御系の主要構成要素をブロックで示す図である。
【図４】図カメラによるライブビュー撮影用の露出値設定動作の実施例をフローチャートで示す図である。
【発明を実施するための形態】
【００１２】
図１〜図４を参照して、本実施形態のデジタルカメラ（撮影装置）について説明する。図１は、本発明をミラーレスのデジタルカメラ１０に適用した実施形態であって、その主要な光学要素をブロック等で示した図である。このデジタルカメラ１０は、カメラボディ１１と、このカメラボディ１１に着脱自在に装着された撮影レンズ１０１を備えている。
【００１３】
カメラボディ１１は、撮影レンズ１０１を通って入射した被写体光により結像される被写体像を撮影する撮像素子２１を備えている。カメラボディ１１の背面には、撮像素子２１が撮影した被写体画像を表示するディスプレイ２４が搭載されている。ディスプレイ２４には、被写体画像の他に、撮影情報、例えば絞値、シャッター速度、ＩＳＯ感度なども表示される（図２参照）。
【００１４】
撮影レンズ１０１は、撮影光学系として複数のレンズ群からなるレンズ群１０２を有し、レンズ群１０２の光路途中に、光量調整用の可変の絞り（虹彩絞り）装置１０３を有している。絞り装置１０３は、カメラボディ１１の絞りモータ２５により、絞りリンク機構２５ａを介して開閉方向に駆動され、絞り開口（絞値）を調整する。レンズ群１０２は、通常焦点調節用レンズ群を含み、ズーミング用レンズ群を含む場合もあるが、詳細は省略する。
【００１５】
カメラボディ１１は、その上面に、操作部材として、撮影モードなどを選択するモードダイヤル２７が設けられ、背面に絞値、シャッター速度、ＩＳＯ感度などを選択する電子ダイヤル２８と、ドライブモード、フラッシュモードなどを選択する十字キー２９が設けられている。カメラボディ１１は、その他の操作部材として、電源スイッチ／ボタンなど複数の操作部材を備えるが省略する。
【００１６】
なお、カメラボディ１１は、図示していないが、撮影レンズ１０１の焦点調節レンズ群を光軸方向に駆動して焦点調節する自動焦点調節装置を備え、撮像素子２１に入射する被写体光の透過開口を遮断・開放するメカニカルシャッター装置などを備えることができる。
【００１７】
図３は、カメラボディ１１に内蔵された電気的な主要回路構成の実施形態をブロックで示す図である。コントローラ５０は、フラッシュＲＯＭ（ＥＥＰＲＯＭ）５１に記録されている制御プログラムに基づいて、カメラ全体の機械的、電気的な動作を統括的に制御して、ＡＦ動作、撮影動作などカメラ機能、動作を制御する。
【００１８】
撮像素子２１は、いわゆるＣＣＤ、ＣＭＯＳなどのイメージセンサーであり、静止画撮影、ライブビュー撮影及び動画撮影が可能である。撮像素子駆動・信号処理回路２２は、撮像素子２１を駆動して撮影した画像信号を取り込み、所定の信号処理、例えば相関二重サンプリングし、ＩＳＯ感度に応じたゲインコントロールし、ホワイトバランス調整し、Ａ／Ｄ変換等したデジタル化した画像信号をコントローラ５０に出力する。コントローラ５０は、静止画撮影のときには、入力した画像信号を所定の画像フォーマットに変換して一旦ＳＤＲＡＭ５２に書き込み、読み出して所定フォーマットに変換してフラッシュメモリ５３に書き込み、ディスプレイ２４に表示する。コントローラ５０は、ライブビュー撮影のときには、入力した画像信号を所定フォーマットに変換してディスプレイ２４に表示する。動画撮影のときには入力した画像信号を所定フォーマットに変換してディスプレイ２４に表示し、さらにフラッシュメモリ５３に書き込む。以下、撮影した画像をフラッシュメモリ５３に記録する（書き込む）撮影を「本撮影」または「記録撮影」という。
フラッシュメモリ５３は、例えば着脱可能ないわゆるメモリーカードである。
【００１９】
撮像素子駆動・信号処理回路２２は、測光用の画像信号を輝度検出回路２３に出力する。輝度検出回路２３は、画像信号のうち、所定の測光領域内の画像信号により被写体の輝度を検出し、コントローラ５０に出力する。コントローラ５０は、検出した被写体輝度と、露出モードに基づいて露出値、絞値、シャッター速度（露光時間）、ＩＳＯ感度を算出する。
【００２０】
コントローラ５０には、絞りモータ２５を駆動制御する絞り駆動回路２６が接続されていて、コントローラ５０は、絞り制御回路２５を介して絞りモータ２５を正逆に駆動し、絞り装置１０３を開閉駆動して絞りの制御動作をする。
【００２１】
コントローラ５０には、スイッチ手段として、モードダイヤル２７、電子ダイヤル２８、十字キー２９によってオン／オフするスイッチ群３０、メインスイッチ３１、ＡＦ・測光スイッチ３２、レリーズスイッチ３３が接続されている。メインスイッチ３１は電源のオン／オフを指示する電源スイッチであり、ＡＦ・測光スイッチ３２は自動焦点調節及び測光の開始を指示するスイッチであり、レリーズスイッチ３３は露光及び撮影した画像信号をフラッシュメモリ５３に記録する（書き込む）撮影動作の開始を指示するスイッチであり、プレビュースイッチ３４はプレビュー撮影及び表示を指示するスイッチである。コントローラ５０は、これらのスイッチのオン／オフに応じて動作する。
【００２２】
コントローラ５０は、メインスイッチ３１のオン操作を受けて起動した撮影待機状態で、ライブビュー撮影ＯＮ操作（ＡＦ・測光スイッチ３２のＯＮ操作を含む）を受けると、撮像素子２１をライブビュー撮影動作させて被写体画像信号を取り込み、被写体輝度を検出して露光時間、絞値及びＩＳＯ感度を調整しながら、ライブビュー撮影を継続し、ライブビュー撮影した画像をディスプレイ２４に表示する。またコントローラ５０は、ライブビュー撮影と並行して、焦点調節レンズ群を光軸前後方向に移動しながら被写体輝度を検出し、被写体輝度のピークが得られたときのフォーカシングレンズ群位置にフォーカシングレンズ群を移動して合焦させる画像コントラストＡＦ動作を実行することができる。
【００２３】
コントローラ５０は、レリーズスイッチ３３のＯＮを受けて、静止画撮影モードのときには静止画撮影（本撮影）動作する。コントローラ５０は、静止画撮影動作において、輝度検出回路２３の検出輝度に基づいて設定した絞値及びシャッター速度によりシャッター装置を駆動するとともに撮像素子駆動・信号処理回路２２を介して撮影用撮像素子２１を駆動し、撮像した被写体の画像信号を入力し、設定されたＩＳＯ感度による増幅などの所定の信号処理を施し、所定のフォーマットに変換した画像データをフラッシュメモリ５３に記録し、画像をディスプレイ２４に表示する。なお、動画撮影モードのときには動画撮影動作する。
【００２４】
デジタルカメラ１０（コントローラ５０）は、静止画撮影における本撮影（記録撮影）のモードとして、少なくとも絞値をユーザーが設定可能なマニュアル露出モードと絞り優先自動露出モードを有している。
【００２５】
コントローラ５０は、外光の明るさまたは輝度の周期的な変化（フリッカー）の影響を低減するためのフリッカー周波数が予め記録されたＲＯＭ（図示せず）を内蔵している。フリッカー周波数は、例えば、蛍光灯の電源として使用される商用電源周波数を考慮して、商用電源周波数の２倍の１００Ｈｚと１２０ＨｚがＲＯＭに書き込まれる。使用するフリッカー周波数は、ユーザーによる十字キー２９と電子ダイヤル２８等の操作を受けて選択する。
【００２６】
デジタルカメラ１０（コントローラ５０）は、ライブビュー撮影を、選択されたフリッカー周波数に基づいて設定した露光時間により行う。本デジタルカメラ１０は、ユーザーにより本撮影時の絞値が設定されている場合、本撮影時の絞値でライブビュー撮影してディスプレイ２４に表示し、ディスプレイ２４に表示された画像により本撮影したときの被写界深度をシミュレート可能にした。
【００２７】
図４は、本撮影（記録撮影）がマニュアル露出モードまたは絞り優先自動露出モードに設定されている場合のライブビュー撮影動作に関するフローチャートである。デジタルカメラ１０のライブビュー撮影動作について、図４を参照してより詳細に説明する。ユーザーにより露出モードがマニュアル露出モードに設定され、少なくとも本撮影（記録撮影）用の絞値（Ａ）がマニュアル設定されるものとする。
【００２８】
コントローラ５０は、ユーザーによる露出モード設定操作を受けて、露出モードをマニュアル設定（マニュアル露出）モードに設定する（Ｓ１１）。続いてコントローラ５０は、本撮影（記録撮影）時のマニュアル設定絞値（Ａ）、マニュアル設定シャッター速度（Ｂ）及びマニュアル設定ＩＳＯ感度（Ｃ）を、ユーザーによる操作を受けて設定し、フラッシュＲＯＭ５１にメモリする（Ｓ１３）。
【００２９】
コントローラ５０は、ライブビュー撮影の絞値を絞値（Ａ）に仮設定し（Ｓ１５）、マニュアル設定シャッター速度（Ｂ）をマニュアル設定露光時間（Ｄ）に変換し（Ｓ１７）、ライブビューフレームレートにおける１フレーム当たりのフレーム最大（最長）露光時間（Ｅ）を算出する（Ｓ１９）。
【００３０】
コントローラ５０は、ライブビュー撮影の露光時間を、フレーム最大露光時間（Ｅ）よりも短く、かつマニュアル設定露光時間（Ｄ）に最も近い、フリッカー周波数の逆数（フリッカー周期）の整数倍のフリッカー対策露光時間（Ｆ）に設定する（Ｓ２１）。フリッカー対策露光時間は、撮像素子２１のプレビューフレームレートにおいて可能な最大露光時間以下である、フリッカー周波数の逆数の整数倍の中から選択できる。整数倍が好ましいが、倍数が大きいときには整数倍でなくても可能である。
【００３１】
コントローラ５０は、マニュアル設定露光時間（Ｄ）とフリッカー対策露光時間（Ｆ）の大小関係、（Ｄ）＜（Ｆ）であるか否かをチェックする（Ｓ２３）。コントローラ５０は、マニュアル設定露光時間（Ｄ）がフリッカー対策露光時間（Ｆ）未満であったとき（Ｓ２３：Ｙｅｓ）、撮像素子の最小ＩＳＯ感度（Ｇ）を参照する（Ｓ２５）。撮像素子の最小ＩＳＯ感度（Ｇ）と最大ＩＳＯ感度（Ｋ）は、撮像素子２１に依存するスペックであり、予めフラッシュＲＯＭ５１に書き込まれている。
【００３２】
コントローラ５０は、感度比（Ｈ）と露光時間比（Ｉ）を下記式により算出する（Ｓ２７）。
（Ｈ）＝（Ｃ）／（Ｇ）
（Ｉ）＝（Ｆ）／（Ｄ）
【００３３】
コントローラ５０は、感度比（Ｈ）と露光時間比（Ｉ）の大小関係、（Ｈ）＞（Ｉ）であるか否かをチェックする（Ｓ２９）。
コントローラ５０は、感度比（Ｈ）の方が露光時間比（Ｉ）より大きいと判断したき（Ｓ２９：Ｙｅｓ）、ライブビュー撮影の絞値をマニュアル設定絞値（Ａ）に設定し、ライブビューＩＳＯ感度（Ｊ）を下記式、
（Ｊ）＝（Ｃ）／（Ｉ）
により設定し（Ｓ３１）、ライブビュー撮影用の露出値設定動作を終了する。
【００３４】
コントローラ５０は、ライブビュー撮影用の露出値設定動作を終了すると、図示しない別スレッドにより、設定したマニュアル設定絞値（Ａ）、フリッカー対策露光時間（Ｆ）及びライブビューＩＳＯ感度（Ｊ）でライブビュー撮影動作を実行する。
【００３５】
以上の通り、デジタルカメラ１０は、本撮影（記録撮影）用のマニュアル設定絞値（Ａ）とフリッカー対策露光時間（Ｆ）によりライブビュー撮影し、その画像をディスプレイ２４に表示するので、ユーザーは、静止画撮影するときの被写界深度（静止画撮影したら得られるであろう被写界深度）を、フリッカーの無い見易い状態で確認できる。
【００３６】
コントローラ５０は、ステップＳ２３において、マニュアル設定露光時間（Ｄ）がフリッカー対策露光時間（Ｆ）未満ではないと判断したとき（Ｓ２３：Ｎｏ）、撮像素子２１の最大ＩＳＯ感度（Ｋ）を参照し（Ｓ３３）、感度比（Ｌ）と露光時間比（Ｍ）を下記式により算出する（Ｓ３５）。
（Ｌ）＝（Ｋ）／（Ｃ）、
（Ｍ）＝（Ｄ）／（Ｆ）
【００３７】
コントローラ５０は、感度比（Ｌ）と露光時間比（Ｍ）の大小関係、（Ｌ）＞（Ｍ）であるか否かをチェックする（Ｓ３７）。
コントローラ５０は、感度比（Ｌ）の方が露光時間比（Ｍ）より大きいと判断したとき（Ｓ３７：Ｙｅｓ）、ライブビュー撮影の絞値をマニュアル設定絞値（Ａ）に設定し、ライブビュー撮影のＩＳＯ感度（Ｎ）を下記式、
（Ｎ）＝（Ｃ）×（Ｍ）
により設定し（Ｓ３９）、ライブビュー撮影用の露出値設定動作を終了する。
【００３８】
コントローラ５０は、ライブビュー撮影用の露出値設定動作を終了すると、図示しない別スレッドにより、設定したマニュアル設定絞値（Ａ）、フリッカー対策露光時間（Ｆ）及びＩＳＯ感度（Ｎ）でライブビュー撮影動作を実行する。
【００３９】
以上の通り、デジタルカメラ１０は、本撮影（記録撮影）用のマニュアル設定絞値（Ａ）とフリッカー対策露光時間（Ｆ）によりライブビュー撮影し、その画像をディスプレイ２４に表示するので、ユーザーは、静止画撮影するときの被写界深度を、フリッカーの無い見易い状態で確認できる。
【００４０】
コントローラ５０は、ステップＳ３７において、感度比（Ｌ）が露光時間比（Ｍ）より大きくないと判断したとき（Ｓ３７：Ｎｏ）、露出比（Ｓ）を下記式により算出する（Ｓ４１）。
（Ｓ）＝（Ｍ）／（Ｌ）
【００４１】
コントローラ５０は、受光光量が露出比（Ｓ）倍以上になるようにライブビューの絞り（値）（Ｔ）を決定（設定）し（Ｓ４３）、光量比（Ｕ）を、ライブビューの絞り（Ｔ）とマニュアル設定絞値（Ａ）により、下記式により算出する（Ｓ４５）。
（Ｕ）＝｛（Ｔ）の光量｝／｛（Ａ）の光量｝
【００４２】
コントローラ５０は、ライブビューＩＳＯ感度（Ｖ）を下記式、
（Ｖ）＝（Ｃ）×（Ｍ）／（Ｕ）
により決定（設定）し（Ｓ４７）、ライブビュー撮影用の露出値設定動作を終了する。
【００４３】
コントローラ５０は、ライブビュー撮影用の露出値設定動作を終了すると、図示しない別スレッドにより、設定したライブビューの絞り（Ｔ）、光量比（Ｕ）及びライブビューＩＳＯ感度（Ｖ）でライブビュー撮影動作を実行する。
この場合は、本撮影（記録撮影）用のマニュアル設定絞値（Ａ）と異なるライブビューの絞り（Ｔ）でライブビュー撮影されるので、ディスプレイ２４に表示されたライブビュー画像により正確な被写界深度はシミュレートできないが、表示画像がフリッカーの影響を受けないので観察が容易である。
【００４４】
コントローラ５０は、ステップＳ２９において、感度比（Ｈ）が露光時間比（Ｉ）より大であると判断しなかったとき（Ｓ２９：Ｎｏ）、露光時間比（Ｏ）を下記式により算出する（Ｓ４９）。
（Ｏ）＝（Ｉ）／（Ｈ）
【００４５】
コントローラ５０は、受光光量が１／（Ｏ）倍以下になるようにライブビューの絞り（Ｐ）を設定し（Ｓ５１）、光量比（Ｑ）を、マニュアル設定絞値（Ａ）とライブビューの絞り（Ｐ）により、下記式により算出する（Ｓ５３）。
（Ｑ）＝｛（Ａ）の光量｝／｛（Ｐ）の光量｝
【００４６】
コントローラ５０は、ライブビュー撮影のＩＳＯ感度（Ｒ）を下記式、
（Ｒ）＝（Ｃ）×（Ｑ）／（Ｉ）
により決定（設定）し（Ｓ５５）、ライブビュー撮影用の露出値設定動作を終了する。
【００４７】
コントローラ５０は、ライブビュー撮影用の露出値設定動作を終了すると、図示しない別スレッドにより、設定したライブビューの絞り（Ｐ）、光量比（Ｑ）及びＩＳＯ感度（Ｒ）でライブビュー撮影動作を実行する。
この場合は、本撮影（記録撮影）用のマニュアル設定絞値（Ａ）と異なるライブビューの絞り（Ｐ）でライブビュー撮影されるので、ディスプレイ２４に表示されたライブビュー画像により正確な被写界深度はシミュレートできないが、表示画像がフリッカーの影響を受けないので観察が容易である。
【００４８】
以上の通り、デジタルカメラ１０は、ライブビュー撮影用の絞値、露光時間及びＩＳＯ感度設定動作のライブビュー撮影動作により、マニュアル設定された絞値によるライブビュー撮影が可能になり、静止画撮影するときの被写界深度をライブビュー画像によりシミュレートし、確認できる。
【００４９】
次に、マニュアル設定値の数値例を４パターン例示して、デジタルカメラ１０のライブビュー撮影用の露出値設定動作について説明する。デジタルカメラ１０において設定可能なＩＳＯ感度は、１００乃至３２００とする。フリッカー周波数は１００Ｈｚ、ライブビューフレームレートは３０ｆｐｓとすると、ライブビューフレームレートの逆数時間は１／３０＝３３ｍｓ、フリッカー周波数の逆数の時間（周期）は１／１００＝１０ｍｓであり、このライブビューフレームレートにおけるフレーム最大露光時間（Ｅ）は３３ｍｓ、フリッカー対策露光時間は１０ｍｓの整数倍になる。したがって、選択可能なフリッカー対策露光時間は、１０ｍｓ、２０ｍｓ及び３０ｍｓのいずれかである。
【００５０】
＜例１：絞りＦ２．８、シャッター速度１／２００、ＩＳＯ４００＞
シャッター速度１／２００なので、対応するマニュアル設定露光時間（Ｄ）は５ｍｓになる（Ｓ１７）。ライブビューフレームレートにおけるフレーム最大露光時間（Ｅ）は３３ｍｓになる（Ｓ１９）。フレーム最大露光時間（Ｅ）より短く、マニュアル設定露光時間（Ｄ）に最も近いフリッカー周波数の逆数の整数倍の露光時間（Ｆ）が１０ｍｓに決定（設定）される（Ｓ２１）。
（Ｄ）＜（Ｆ）なので、ステップＳ２３の条件分岐はＹｅｓになり、ステップＳ２５に進む。
【００５１】
参照される撮像素子２１の最小ＩＳＯ感度（Ｇ）はＩＳＯ１００であり（Ｓ２５）、感度比（Ｈ）、露光時間比（Ｉ）は下記式により設定される（Ｓ２７）。
（Ｈ）＝ＩＳＯ４００／ＩＳＯ１００＝４
（Ｉ）＝１０ｍｓ／５ｍｓ＝２
ここで、（Ｈ）＞（Ｉ）なので、ステップＳ２９の条件分岐はＹｅｓになり、ステップＳ３１に進み、ライブビュー撮影時の絞値はマニュアル設定絞値（Ａ）（Ｆ２．８）に決定（設定）され、ライブビューの感度（Ｊ）は下記式により決定（設定）される（Ｓ３１）。
（Ｊ）＝ＩＳＯ４００／２＝ＩＳＯ２００
【００５２】
以上のライブビュー撮影用の絞値、露光時間及びＩＳＯ感度設定動作の結果、ライブビュー撮影における設定露出値は、絞りＦ２．８、露光時間１０ｍｓ、ＩＳＯ２００になった。ライブビュー撮影における絞りＦ２．８はマニュアル設定された絞りＦ２．８と同一なので、フリッカーの影響を受けないので観察し易いライブビュー画像により、静止画撮影するときの被写界深度が確認できる。
【００５３】
＜例２：絞りＦ２．８、シャッター速度１／４００、ＩＳＯ１００＞
シャッター速度１／４００なので、マニュアル設定露光時間（Ｄ）が２．５ｍｓに変換され（Ｓ１７）、フレーム最大露光時間（Ｅ）が３３ｍｓに設定され（Ｓ１９）、フレーム最大露光時間（Ｅ）より短く、マニュアル設定露光時間（Ｄ）に近いフリッカー周波数の逆数の整数倍のフリッカー対策露光時間（Ｆ）が１０ｍｓに設定される（Ｓ２１）。
【００５４】
ここで、（Ｄ）＜（Ｆ）なので、ステップＳ２３の条件分岐はＹｅｓになり、ステップＳ２５に進む。
参照される撮像素子の最小ＩＳＯ感度（Ｇ）はＩＳＯ１００であり（Ｓ２５）、感度比（Ｈ）と露光時間比（Ｉ）が、下記式により算出される（Ｓ２７）。
（Ｈ）＝ＩＳＯ１００／ＩＳＯ１００＝１
（Ｉ）＝１０ｍｓ／２．５ｍｓ＝４
【００５５】
ここで、（Ｈ）＜（Ｉ）なので、ステップＳ２９の条件分岐はＮｏとなり、ステップＳ４９に進む。
露光時間比（Ｏ）が、下記式により算出される（Ｓ４９）。
（Ｏ）＝４／１＝４
【００５６】
ライブビュー撮影時の露出を、マニュアル設定値（マニュアル絞設定値（Ａ）、マニュアル設定シャッター速度（Ｂ）及びマニュアル設定ＩＳＯ感度（Ｃ））での露出と合わせる必要があるが、ＩＳＯ感度をマニュアル設定ＩＳＯ感度（Ｃ）のＩＳＯ１００未満にできないので、露光時間が４倍に伸びた分、絞りで光量を１／４以下にすることが望まれるのと、ギリギリの絞りにすると少しの光量変化で絞りが変動することになるので、少し余裕をとって絞りはＦ１１に設定される（Ｓ５１、Ｓ５３）。（光量は１／８、（Ｑ）＝８になる。）
ライブビュー撮影におけるＩＳＯ感度（Ｒ）は、下記式により決定（設定）される（Ｓ５５）。
（Ｒ）＝ＩＳＯ１００×８／４＝ＩＳＯ２００
【００５７】
以上のライブビュー撮影用の絞値、露光時間及びＩＳＯ感度設定動作の結果、ライブビュー撮影における設定露出値は、絞りＦ１１、シャッター速度１０ｍｓ、ＩＳＯ２００になった。
ライブビュー用に設定された絞りＦ１１はマニュアル設定された撮影時の絞りＦ２．８と異なるので正確な被写界深度はシミュレートできないが、ライブビュー撮影した画像はフリッカーの影響を受けないので、観察し易いライブビュー画像が表示される。
【００５８】
＜例３：絞りＦ５．６、シャッター速度１／８、ＩＳＯ２００＞
シャッター速度１／８なので、マニュアル設定露光時間（Ｄ）が１２５ｍｓにされ（Ｓ１７）、ライブビューフレームレートのフレーム最大露光時間（Ｅ）が３３ｍｓに設定され（Ｓ１９）、（Ｅ）より短く、（Ｄ）に近いフリッカー周波数の逆数の整数倍のフリッカー対策露光時間（Ｆ）が３０ｍｓに設定される（Ｓ２１）。
（Ｄ）＞（Ｆ）なので、ステップＳ２３の条件分岐はＮｏになり、ステップＳ３３に進む。
【００５９】
この撮像素子２１の最大ＩＳＯ感度（Ｋ）はＩＳＯ３２００とされる（Ｓ３３）。感度比（Ｌ）、露光時間比（Ｍ）は、下記式により算出される（Ｓ３５）。
（Ｌ）＝ＩＳＯ３２００／ＩＳＯ２００＝１６
（Ｍ）＝１２５ｍｓ／３０ｍｓ＝４．２
（Ｌ）＞（Ｍ）なので、ステップＳ３７の条件分岐はＹｅｓになり、ステップＳ３９に進む。
【００６０】
ライブビュー撮影時の絞値は（Ａ）に決定（設定）され、ライブビュー撮影のＩＳＯ感度（Ｎ）は、下記式により決定（設定）される（ステップＳ３９）。
（Ｎ）＝ＩＳＯ２００×４．２＝ＩＳＯ８４０
以上のライブビュー撮影用の絞値、露光時間及びＩＳＯ感度設定動作の結果、ライブビュー撮影における設定露出値は、絞りＦ５．６、露光時間３０ｍｓ、ＩＳＯ８４０になった。ライブビュー用に設定された絞りＦ５．６とマニュアル設定された撮影時の絞りＦ５．６が同一なので、ライブビュー撮影において被写界深度はシミュレートでき、表示画像がフリッカーの影響を受けないので観察し易いライブビュー画像が表示される。
【００６１】
＜例４：絞りＦ８、シャッター速度１／８、ＩＳＯ１６００＞
シャッター速度１／８は、マニュアル設定露光時間（Ｄ）の１２５ｍｓに変換される（Ｓ１５）。ライブビューフレームレートのフレーム最大露光時間（Ｅ）は３３ｍｓになる（Ｓ１９）。（Ｅ）より短く、（Ｄ）に近いフリッカー周波数の逆数の整数倍のフリッカー対策露光時間（Ｆ）は３０ｍｓになる（Ｓ２１）。
（Ｄ）＞（Ｆ）なので、ステップＳ２３の条件分岐はＮｏになり、ステップＳ３３に進む。この撮像素子２１の最大ＩＳＯ感度（Ｋ）は、ＩＳＯ３２００とされる（Ｓ３３）。感度比（Ｌ）、露光時間比（Ｍ）は、下記式により算出される（Ｓ３５）。
（Ｌ）＝ＩＳＯ３２００／ＩＳＯ１６００＝２
（Ｍ）＝１２５ｍｓ／３０ｍｓ＝４．２
（Ｌ）＜（Ｍ）なので、ステップＳ３７の条件分岐はＮｏになり、ステップＳ４１に進む。
【００６２】
露出比（Ｓ）が下記式により算出される（Ｓ４１）。
（Ｓ）＝４．２／２＝２．１
ここでは、マニュアル設定値（マニュアル絞設定値（Ａ）、マニュアル設定シャッター速度（Ｂ）及びマニュアル設定ＩＳＯ感度（Ｃ））での露出と合わせる必要があるが、ＩＳＯ感度をマニュアル設定ＩＳＯ感度（Ｃ）の２倍のＩＳＯ３２００より大きくできないので、露光時間を１／４．２に減らした分、絞りで光量を２．１倍以上にすることが望まれるのと、ギリギリの絞りにすると少しの光量変化で絞りがまた動くことになることより、少し余裕をみて絞りはＦ４に決定（設定）される（Ｓ４３、Ｓ４５）。（光量は４倍、Ｑ＝４）
ライブビューＩＳＯ感度（Ｖ）が下記式により算出される（Ｓ４７）。
（Ｖ）＝ＩＳＯ１６００×４．２／４＝ＩＳＯ１６８０
になる。
【００６３】
以上のライブビュー撮影用の絞値、露光時間及びＩＳＯ感度設定動作の結果、ライブビュー撮影における設定露出値は、絞りＦ４、露光時間３０ｍｓ、ＩＳＯ１６８０になった。
ライブビュー撮影用に設定された絞りＦ４とマニュアル設定された本撮影（記録撮影）用の絞りＦ８が異なるので、正確な被写界深度はシミュレートできないが、表示画像がフリッカーの影響を受けないので観察し易いライブビュー画像が表示される。
【００６４】
なお、絞り優先自動露出モードを選択している場合は、本撮影（記録撮影）時の露光時間は、フリッカー周波数の逆数の整数倍となるように設定することが好ましい。露光開始のタイミングにかかわらず、適正露出値で本撮影（記録撮影）することが可能になる。
【００６５】
本実施形態は、いわゆるミラーレスカメラに適用した。しかし本発明は、一眼レフカメラに適用することも可能であり、いわゆるコンパクトデジタルカメラ、スマートフォンなどのスマートデバイスに適用することも可能である。
【００６６】
以上の実施形態では、撮像素子２１がライブビュー撮影するときのフレームレートを３０ｆｐｓとした。しかし本発明はこのフレームレートに限定されず、撮像素子２１のスペックに応じて、６０ｆｐｓでもよく、被写体輝度、あるいは被写体が動体なのか静体なのかなどに応じて可変としてもよい。
【００６７】
以上の数値実施例では、フリッカー周波数を予め１００Ｈｚに設定した。しかし本発明は、外光の明るさ変化の周期を検出するフリッカー検出手段を設けて、検出した周期からフリッカー周波数を設定してもよい。あるいは、予め複数のフリッカー周波数、例えば商用電源の周波数５０Ｈｚ、６０Ｈｚに対応する１００Ｈｚと１２０Ｈｚを設定し、いずれかを選択可能にしてもよく、フリッカー周波数を数値で設定可能にしてもよい。数値で設定可能にすれば、最もフリッカーの影響を受けない最適なフリッカー周波数を設定することが可能になり、より被写体深度の確認が容易になる。
【００６８】
フリッカーは、室内等における照明器具のフリッカーなど外光に限らず、被写体自体が点滅する場合のフリッカーにも適用できる。
【符号の説明】
【００６９】
１０  デジタルカメラ（カメラ、撮影装置）
１１  カメラボディ
２１  撮像素子
２２  撮影素子駆動・信号処理回路
２３  輝度検出回路
２４  ディスプレイ
２５  絞りモータ
２６  絞り駆動回路
２７  モードダイヤル
２８  電子ダイヤル
２９  十字キー
３０  スイッチ群
３１  メインスイッチ
３２  ＡＦ・測光スイッチ
３３  レリーズスイッチ
５０  コントローラ（露出値設定手段、絞値設定手段、フリッカー周波数設定手段、ライブビュー制御手段）
５１  フラッシュＲＯＭ（ＥＥＰＲＯＭ）
５２  ＳＤＲＡＭ
５３  フラッシュメモリ
１０１  撮影レンズ（撮影光学系）
１０２  レンズ群
１０３  絞り装置
【図１】
0006763147.tif 000002
【図２】
0006763147.tif 000003
【図３】
0006763147.tif 000004
【図４】
0006763147.tif 000005